(57)【要約】【課題】本発明は、連結軸に弾性を有しない金属や樹脂等の素材を用いても、操作片が定位置で固定されるバンドとバックルのスライドアジャスタを提供することを目的とする【解決手段】本発明のスライドアジャスタは、バンド外表面に形成した鋸歯状の係合溝にバックルの係合爪を係合可能としたバンドとバックルのスライドアジャスタにおいて、操作片の揺動を制御する制御片がバックル本体に設けられ、操作片の一端部側と制御片を弾性的に当接させると共に操作片の他端部側と制御片を当接させることを特徴とする。【選択図】図１
2015029601.tif 000002
【特許請求の範囲】
【請求項１】
バンド外表面に形成した鋸歯状の係合溝にバックルの係合爪を係合可能としたバンドとバックルのスライドアジャスタにおいて、
前記バックルを、対向する底板と天板および両者を接続する側板とからなり内部をバンドの挿通空間としたバックル本体と、該バックル本体の内側に設置され、一端部に前記バンドの係合溝に係合可能な係合爪を有する操作片とから構成すると共に、該操作片を中間点にてバックル内部を結ぶ連結軸で支承することにより該中間点を支点として揺動自在とし、
前記操作片の揺動を制御する制御片が前記バックル本体に設けられ、前記操作片の一端部側と前記制御片を弾性的に当接させると共に前記操作片の他端部側と前記制御片を当接させ、前記バンドの係合溝に前記係合爪を係合させ該係止状態において前記バンドを前記バックルの挿通空間内に進入させていくと、前記バンドが前記操作片の係合爪に接触して前記操作片の一端部を押し上げながら前進し、前記操作片の一端部は前記制御片に圧接することによる反動で初期状態に戻ることによってバンドはバックルに接近自在であるが後退不能とされることを特徴とするバンドとバックルのスライドアジャスタ。  
【請求項２】
前記制御片の一端部に弾性部を設けて前記操作片の一端部側と前記制御片を弾性的に当接させた請求項１記載のスライドアジャスタ。
【請求項３】
前記操作片の一端部に弾性部を設けて前記操作片の一端部側と前記制御片を弾性的に当接させた請求項１記載のスライドアジャスタ。
【請求項４】
前記制御片の前記操作片の他端部が当接する部分に凹部を形成した請求項１〜３のいずれかに記載のスライドアジャスタ。
【請求項５】
前記制御片が前記操作片の近傍を移動可能であり、前記制御片を移動することにより前記バンドとバックルの係合を解除することのできる請求項１〜４のいずれかに記載のスライドアジャスタ。  
【発明の詳細な説明】
【技術分野】
【０００１】
本発明は、バンドをバックルに対してスライドさせ、バンドの長さを調節して固定するためのスライドアジャスタに関し、特に、腕時計、スマートフォン、携帯型ミュージックプレーヤー、靴または帽子に用いられるスライドアジャスタに関するものである。
【背景技術】
【０００２】
本発明者は、特許第５１９２６０７号（特許文献１）において、特に、時計バンド、スマートフォンまたは携帯型ミュージックプレーヤー用のアームバンドまたはリストバンド、靴または靴用のバンドまたはベルトと一緒に用いられるバックルに関するものして、バンド外表面に形成した鋸歯状の係合溝にバックルの係合爪を係合可能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作片とから構成すると共に、該操作片を中間点にて前記両側板を結ぶ連結軸で支承することにより該中間点を支点として揺動自在としたバックルにおいて、前記操作片の揺動を制御する制御片が前記バックル本体に設けられ、前記バンドの係合溝に前記係合爪を係合させ該係止状態において前記バンドを前記バックルの挿通空間内に進入させていくと、前記バンドの上面が前記操作片の係合爪に接触して前記操作片の一端部を押し上げながら前進し、前記操作片は前記制御片に接触することによる反動で初期位置に戻ることによってバンドはバックルに接近自在であるが後退不能とされることを特徴とするバックルを提案している。
【０００３】
本バックルは、連結軸自体の弾性を利用するものではないため、連結軸に弾性を有しない金属や樹脂等の素材を用いれば、バックルを小型化するために連結軸を細くしても、バンドをバックルから引き離す方向に強い力が作用した際に連結軸が破損する虞はない。また、連結軸の弾性力がクリープ現象（合成樹脂に対して長時間強い圧力がかかっていると合成樹脂がゆっくりと変形する性質）に起因して経時的に低下することによる係合強度弱化の虞もない。
しかしながら、連結軸に弾性を有しない金属や樹脂等の素材を用いると、操作片が自由に揺動して定位置で固定されないという問題があった。  
【先行技術文献】
【特許文献】
【０００４】
【特許文献１】特許第５１９２６０７号公報
【発明の概要】
【発明が解決しようとする課題】
【０００５】
本発明は、連結軸に弾性を有しない金属や樹脂等の素材を用いても、操作片が定位置で固定されるバンドとバックルのスライドアジャスタを提供することを目的とするものである。
【課題を解決するための手段】
【０００６】
本発明は、バンド外表面に形成した鋸歯状の係合溝にバックルの係合爪を係合可能としたバンドとバックルのスライドアジャスタにおいて、前記バックルを、対向する底板と天板および両者を接続する側板とからなり内部をバンドの挿通空間としたバックル本体と、該バックル本体の内側に設置され、一端部に前記バンドの係合溝に係合可能な係合爪を有する操作片とから構成すると共に、該操作片を中間点にてバックル内部を結ぶ連結軸で支承することにより該中間点を支点として揺動自在とし、前記操作片の揺動を制御する制御片が前記バックル本体に設けられ、前記操作片の一端部側と前記制御片を弾性的に当接させると共に前記操作片の他端部側と前記制御片を当接させ、前記バンドの係合溝に前記係合爪を係合させ該係止状態において前記バンドを前記バックルの挿通空間内に進入させていくと、前記バンドが前記操作片の係合爪に接触して前記操作片の一端部を押し上げながら前進し、前記操作片の一端部は前記制御片に圧接することによる反動で初期状態に戻ることによってバンドはバックルに接近自在であるが後退不能とされることを特徴とする。
【０００７】
前記制御片の一端部に弾性部を設けて前記操作片の一端部側と前記制御片を弾性的に当接させたことが好ましい。
前記操作片の一端部に弾性部を設けて前記操作片の一端部側と前記制御片を弾性的に当接させたことが好ましい。
【０００８】
前記制御片の前記操作片の他端部が当接する部分に凹部を形成したことが好ましい。
【０００９】
前記制御片が前記操作片の近傍を移動可能であり、前記制御片を移動することにより前記バンドとバックルの係合を解除することのできることが好ましい。
【発明の効果】
【００１０】
本発明のスライドアジャスタは、連結軸に弾性を有しない金属や樹脂等の素材を用いても、操作片が定位置で固定される。
【図面の簡単な説明】
【００１１】
【図１】本発明のスライドアジャスタの側面図（図１（１））と、スライドアジャスタに用いられる制御片の斜視図（図１（２））である。
【図２】図１（１）のｚ−ｚ切断線における断面図である（図２（１）〜（３））。
【図３】スライドアジャスタの他の実施形態を示す図である。
【図４】スライドアジャスタの別の実施形態を示す図である。
【発明を実施するための形態】
【００１２】
以下、本発明に係るスライドアジャスタの実施形態を図面に基づいて説明する。
図１にはバンドとバックルからなる本発明のスライドアジャスタが示されており、図１（１）はその側面図、図１（２）は制御片の斜視図である。図２は図１（１）のｚ−ｚ切断線における断面図である（図２（１）〜（３））。
【００１３】
これらの図において、所要の長さ、幅、厚みを有するバンドの縁部には、先端から末端に向けて鋸歯状の係合溝が形成されている。バンド１０の長さ、幅および厚については、スライドアジャスタの使用目的により適宜決定される。
【００１４】
バックル２０は、底板２１、これに対向する天板２２、および底板２１と天板２２とを接続する側板２３、２３とからなる偏平かつ筒状のバックル本体２４により主体が構成されている。バックル本体２４はバンド１０のスライド方向が挿通口として開口され、その内部はバンド１０の挿通空間２６となる。図示しないが、底板２１の長手方向（バンド１０のスライド方向）の長さを天板２２の長手方向の長さよりも長くすることにより、バックル２０の被接続体（即ち、時計等）への取付を容易にすると共に、バンド１０の挿通がスムーズに行われるようにすることができる。また、天板２２の長手方向の長さを底板２１の長手方向の長さよりも長くすることによっても同様の効果を得ることができる。
【００１５】
バックル本体２４の内側には、その内に納まる大きさの操作片３０が設置される。操作片３０の一端部には、バンド１０の係合溝１２に係合可能な係合爪３１を突設している。
【００１６】
操作片３０の長手方向の中間部には、連結軸３５が形成され、この連結軸３５は底板２１および／または天板２２に支承されている。その結果、操作片３０は該中間部を支点として揺動自在とされる。
この実施形態では連結軸３５の断面を円形としたが、楕円形、その他種々の断面形状とすることができる。連結軸３５は操作片３０を揺動自在に軸支すると共に、滑らかな操作性を確保する為に可及的に細くすることが望まれるが、反復的な揺動により破損しない形状、大きさとすれば良い。  
【００１７】
本発明において、連結軸の材質に格別の制限はなく、弾性を有する合成樹脂の他、弾性を有しない金属や樹脂等の硬い素材を用いても良い。これらの硬い素材を用いた場合は連結軸自体の強度が上がるので、バンド１０とバックル２０の係合強度が向上する。
【００１８】
バックル本体１４には、操作片３０の揺動を制御する制御片４０が設置される。本実施形態では制御片４０の一端部にスリットを形成することにより弾性部４３を設けている（図１（２））。図２（１）に示すように、前記操作片３０の一端部側を前記弾性部４３に当接させると共に前記操作片３０の他端部側を制御片４０に当接させることにより、操作片３０が所定位置で固定される。
制御片４０の形状に格別の制限はなく、操作片３０の揺動を制御する機能を果たすものであれば良い。
【００１９】
本実施形態において、制御片４０は操作片３０の近傍をバンドの進退方向にスライド移動可能に設置される。制御片４０はスライド操作部４２と一体となってバックル本体２４に設けられている。スライド操作部４２の形状と大きさに格別の制限はなく、片手の指先を引っ掛けることのできる程度の大きさと形状を有していれば良い。スライド操作部４２は制御片４０に必ずしも設ける必要はないが、これを設けることにより制御片４０のスライド操作を容易とすることができる。  
【００２０】
続いて、上記スライドアジャスタの作用を説明する。図２（１）は、バックル２０の挿通空間２６内にバンド１０が挿入され、バンド１０の縁部に沿って形成された係合溝１２に、バックル２０の係合爪３１が係合した状態を示している。係合溝１２はスライド方向の断面形状が鋸歯状、即ち、バンド１０の進行方向に向けて漸次深くなるテーパ面と、この最深位置より略垂直に立上る壁面とからなっている。
係合溝１２の切除深さ（バンド１０の幅方向の長さ）は２〜１０ｍｍ程度とすることが好ましく、隣り合う係合溝１２、１２同士の間隔は３〜７ｍｍ程度とすることが好ましい。
【００２１】
図２（１）において、バンド１０をバックルの右側の挿通口から挿通空間２６内に進入させていくと、バンド１０の縁部が操作片３０の係合爪３１に接触して、操作片３０の一端部を押し上げながら前進し、係合爪３１は係合溝１２から外れる（図２（２）参照。）。さらにバンド１０を進入させていくと、操作片３０の一端部は制御片４０の弾性部４３に圧接することによる反動で初期位置に戻り、係合爪３１は隣の係合溝１２と噛み合う。バンド１０はこの動作を繰り返しながら、挿通空間２６内を進入し、バックル２０に対するバンド１０の接近・離隔位置が調節される。つまり、この状態では係合爪３１が所定の係合溝１２と噛み合って係止し、バンド１０はバックル２０に対して進出自在であるが、後退不能とされる。
【００２２】
制御片４０を操作片３０の他端部側にスライドさせれば、図２（３）に示すように、連結軸３５を中心として操作片３０が回転する結果、反対側に位置するする係合爪３１が持ち上がり、係合爪３１が係合溝１２から外れるので、バンド１０を自由にスライドさせることができる。制御片４０を元の位置に戻せば、操作片３０は元の状態に復帰する。
【００２３】
制御片４０のスライド方向に格別の制限はない。図示しないが、制御片４０を操作片３０の係合爪３１側に移動すると制御片４０により操作片３０の係合爪３１側が直接持ち上がり、その結果として前記バンド１０とバックル２０の係合が解除される構造を採用することもできる。
本実施形態によれば、制御片４０をスライドさせればバンド１０を片手で自由にバックル２０から引き抜くことが可能となる。したがって、片手操作が必須である時計バンド等に用いられるスライドアジャスタとして最適である。
【００２４】
本発明は、制御片４０を操作片３０の連結軸３５を挟んで一端部側と他端部側に当接させているので、操作片３０が所定位置で固定される。また、操作片３０の一端部側は制御片４０の弾性部４３に当接しているため、制御片４０が操作片３０の一端部をバンド１０の係合溝１２側に付勢するバネの機能を果たし、連結軸３５自体にバネの機能を持たせる必要がない。従って、連結軸３５に弾性を有しない金属や樹脂等の素材を用いれば、バックルを小型化するために連結軸３５を細くしても、バンド１０をバックル２０から引き離す方向に強い力が作用した際に連結軸３５が破損する虞はない。また、連結軸３５の弾性力がクリープ現象（合成樹脂に対して長時間強い圧力がかかっていると合成樹脂がゆっくりと変形する性質）に起因して経時的に低下することによる係合強度弱化の虞もない。
さらに、コイルバネ等を別部品として設ける必要はなく、部品点数を最小限に抑えることができることに加えて、バックル２０の構造をより簡便なものとすることができる。
【００２５】
バックル２０の挿通空間２６の大きさは、バンド１０がスムーズに挿通可能であれば良いが、係合爪３１に近接する位置において、バンド１０の進出方向と直交する平面内におけるバンド１０の揺動を規制するガイドを設けることが好ましい。ガイドを設置することにより、バンド１０がスムーズに挿通するばかりでなく、バンド１０の係合溝１２とバックル２０の係合爪３１との係合が的確に行われ、係合爪３１近辺における操作片３０の破損、または、係合爪３１近辺におけるバンド１０の座屈といった障害を回避することができる。バックル２０の挿通空間２６内にガイドを設置するには、挿通空間２６を係合爪３１に近接する位置においてバックル２０の内壁を部分的に狭めることにより形成することが望ましく、必ずしもバックル２０と別体のガイド部材を設置するには及ばない。ガイドの縦横の長さは、バンド１０の幅および厚と可及的に等しくし、バンド１０の周囲と接触する程度とすることが好ましい。バンド進出方向におけるガイドの長さは、前記した隣り合う係合溝１２、１２同士の間隔と同等またはそれ以上とすることが好ましい。
【００２６】
続いて、スライドアジャスタの他の実施形態について、図３を参照しながら説明する。図３（１）は操作片３０の斜視図であり、図３（２）、（３）はスライドアジャスタをバンドと平行な水平面で切断した平面図である。但し、これまで説明した実施形態と同じ部材には同じ符号を付して、その説明を省略する。
【００２７】
本実施形態では操作片３０の一端部側に弾性部３３を設けている（図３（１））。図３（２）に示すように、弾性部３３と制御片４０を当接させると共に操作片３０の他端部側と制御片４０を当接させることにより、操作片３０が所定位置で固定される。操作片３０の一端部側に設けられる弾性部３３に特別の制限はなく、板バネ、コイルバネ、または合成樹脂の弾性を利用したものでも良い。
【００２８】
図３（２）において、バンド１０をバックルの右側の挿通口から挿通空間２６内に進入させていくと、バンド１０の縁部が操作片３０の係合爪３１に接触して、操作片３０の一端部を押し上げながら前進し、係合爪３１は係合溝１２から外れる（図３（３）参照。）。さらにバンド１０を進入させていくと、操作片３０の一端部は弾性部３３が制御片４０に圧接することによる反動で初期位置に戻り、係合爪３１は隣の係合溝１２と噛み合う。この状態では係合爪３１が所定の係合溝１２と噛み合って係止し、バンド１０はバックル２０に対して進出自在であるが、後退不能とされる。
【００２９】
次に、スライドアジャスタの別の実施形態について、図４を参照しながら説明する。本実施形態では、図４（１）に示すように制御片４０の一端部に弾性部４３を設けると共に制御片４０の他端部の底部に凹部４４が形成されている。図４（２）に示すように、前記弾性部４３を前記操作片３０の一端部側に当接させると共に前記操作片３０の他端部側を前記凹部４４に当接させることにより、操作片３０が所定位置で固定される。
本実施形態によれば、制御片４０に凹部４４を設けることにより、制御片４０と操作片３０の設置位置を近接させつつ、操作片３０の一端部を係合溝１２側に傾けることができる。したがって、バックル２０全体の大きさを小さくしながらも、バンド１０とバックル２０の係合強度をより高めることが可能となる。
【００３０】
これまで説明した実施形態ではバンド１０の縁部に沿って係合溝１２を形成したが、本発明においてバンド１０の係合溝１２の形成方法に格別の制限はない。係合溝１２の形成方法によってバックル２０の形状が適宜決定される。
【符号の説明】
【００３１】
１０    バンド
１２    係合溝
１１    ベルト
２０    バックル
２４    バックル本体
２６    挿通空間
３０    操作片
３１    係合爪
３３    弾性部
３５    連結軸
４０    制御片
４３    弾性部
【図１】
2015029601.tif 000003
【図２】
2015029601.tif 000004
【図３】
2015029601.tif 000005
【図４】
2015029601.tif 000006